(57)【要約】【課題】ＲＦＩＤタグを通信が良好な位置に配置するとともに容易に交換可能にすること。【解決手段】ＲＦＩＤタグ収納ケースは、有底筒状のケース本体５６と、ケース本体５６の開口５６ａを閉じる蓋５７とを有する。ＲＦＩＤタグ収納ケースの内部には、円板状のＲＦＩＤタグ３５と、コイルバネ６１とを配置する。ケース本体５６の外周面には凸状の隆起５９ａを設け、蓋５７の内周面には凹状の溝６３ａを設ける。蓋５７を閉じると、隆起５９ａと溝６３ａが係合して蓋５７が装着され、コイルバネ６１がＲＦＩＤタグ３５をメイン基板収納ケースの蓋２５ｂに向けて付勢する。【選択図】図１１
2008062105.tif 000002
【特許請求の範囲】
【請求項１】
ケース本体と、ケース本体に形成された基板収納用凹部を開閉するケース蓋とからなり、電子回路部品が実装された基板を前記基板収納用凹部に収納する基板ケースにおいて、
所定装置との間でデータ通信を行う通信アンテナを有する板状の情報記憶媒体と、
有底筒状に形成され、その底部分は前記ケース蓋の内面に固着され、前記底部分とは反対側の開口から前記情報記憶媒体が収納される情報記憶媒体収納ケース本体と、
前記開口を閉じる情報記憶媒体収納ケース蓋と、
前記情報記憶媒体収納ケース蓋で前記開口を閉じたときに、前記情報記憶媒体が前記内面に平行になる姿勢で前記情報記憶媒体を前記ケース蓋に向けて付勢するコイルバネと、
を備えたことを特徴とする基板ケース。
【請求項２】
前記情報記憶媒体は円板状に形成されており、
前記情報記憶媒体収納ケース蓋の底部分の内側の面には、前記情報記憶媒体を位置決めするための円環状の位置決め部が設けられていることを特徴とする請求項１記載の基板ケース。
【請求項３】
前記情報記憶媒体収納ケース本体の筒部分の外周面には周方向に連続した凸状の隆起が設けられるとともに、
前記情報記憶媒体収納ケース蓋は有底筒状に形成され、その筒部分の内周面には周方向に連続した凹状の溝が形成されており、
前記凸状の隆起と前記凹状の溝とを係合させることにより、前記情報記憶媒体収納ケース蓋が前記情報記憶媒体ケース本体に着脱可能であることを特徴とする請求項１または２記載の基板ケース。
【請求項４】
請求項１から３いずれか一項記載の基板ケースを備えたことを特徴とする遊技機。
【発明の詳細な説明】
【技術分野】
【０００１】
本発明は、電子回路基板を収納する基板ケース、及びその基板ケースを備えた弾球遊技機又は回胴式遊技機などの遊技機に関する。
【背景技術】
【０００２】
電波を介して非接触でＩＤコード（ＩＤｅｎｔｉｆｉｃａｔｉｏｎＣｏｄｅ）を認識する技術（ＲＦＩＤ（ＲａｄｉｏＦｒｅｑｕｅｎｃｙＩＤｅｎｔｉｆｉｃａｔｉｏｎ））が急速に発展しており、現在、鉄道やバスの定期券、高速道路の料金回収などで多く実用化されている。この技術は工業製品に組み込まれている部品の管理にも採用されており、管理の効率化、確実化を促進している。
【０００３】
例えば、工場などで工業製品を製造する場合、まず、工業製品を構成する構成部品に関する各種情報（例えば、製造日、出荷先、出荷日、機種名、製造番号、再利用回数などの情報）が格納されたＲＦＩＤタグ（非接触で情報のやり取りができる記録媒体）が構成部品に取り付けられる。ＲＦＩＤタグが取り付けられた構成部品はベルトコンベアで搬送される。搬送経路の所定位置には読み出し及び書き込み装置、あるいは、読み出し又は書き込み装置（以下、「読み出し／書き込み装置」と称す）を組み込んだゲート又はアンテナ等の装置が設置されている。読み出し／書き込み装置はＲＦＩＤタグに対して電波を発信し、非接触で情報の読み出し、あるいは書き込みを行なうものであり、構成部品がゲート又はアンテナ等の装置を通過することで、読み出し／書き込み装置とＲＦＩＤタグとの間でデータ通信が行われる。
【０００４】
また、遊技店などでは、携帯型の読み出し／書き込み装置が用いられる。これは、ユーザーが手に持って操作できるものであり、読み出し／書き込み装置を遊技店に設置されている工業製品のＲＦＩＤタグが備えられている箇所に向けて操作することによってＲＦＩＤタグに対して情報の読み書きを行なう。
【０００５】
ＲＦＩＤタグに格納されている情報を読み出し／書き込み装置で読み出した場合、読み出された情報は読み出し／書き込み装置を介してホストコンピュータに転送される。また、ＲＦＩＤタグに対して情報の書き込みを行なう場合、読み出し／書き込み装置は必要な情報をホストコンピュータから適宜に読み出し、その読み出した情報をＲＦＩＤタグに書き込む。このようにして工業製品の構成部品に関する各種情報はホストコンピュータにて総合管理される。
【発明の開示】
【発明が解決しようとする課題】
【０００６】
しかしながら、遊技機における遊技動作を制御する制御基板などの電子回路が構成されている基板に情報のやり取りができる情報記憶媒体を取り付ける場合、基板に情報記憶媒体を取り付けるためのスペースを確保しなければならず、そのため基板に実装される各種回路部品のレイアウトに大きな影響を及ぼしていた。
【０００７】
基板に情報記憶媒体を取り付けるためのスペースを確保し、基板面に直接情報記憶媒体を取り付けた場合、読み出し／書き込み装置と情報記憶媒体との間で行われるデータ通信は、基板を収納するケースや、そのケースを組み込む遊技機の筺体などを間に挟んで行われるため、情報記憶媒体と読み出し／書き込み装置との通信距離が開いてしまうという問題があった。それに加えて、基板に実装されている電子回路から発生する磁場や静電気などが電波障害となり、読み出し／書き込み装置から情報記憶媒体に向けて発信される電波が微弱電波である場合には情報記憶媒体に対して確実に情報の読み出し／書き込みができなかった。逆に、基板上の情報記憶媒体に電波が届いた場合には、この電波が電気的ノイズとなり、基板に実装されている電子回路の誤作動を誘発してしまう恐れがあった。
【０００８】
本発明は、上記事情を考慮してなされたもので、電子回路基板を含む遊技機を構成する部品やこの部品の経歴などを管理するための各種データが格納された情報記憶媒体を、電子回路基板に実装されている各種回路部品のレイアウトに影響を及ぼさないように設置し、且つ、読み出し／書き込み装置から発信される電波の強弱に関わらず、読み出し／書き込み装置と情報記憶媒体との間で確実にデータ通信を行うことができ、さらに、データ通信時における電気的ノイズの発生や電子回路の誤作動を防止するようにした電子回路基板を収納するための基板ケース、及びその基板ケースを備えた遊技機を提供することを目的とする。
【課題を解決するための手段】
【０００９】
本発明は、ケース本体と、ケース本体に形成された基板収納用凹部を開閉するケース蓋とからなり、電子回路部品が実装された基板を前記基板収納用凹部に収納する基板ケースに関し、所定装置との間でデータ通信を行う通信アンテナを有する板状の情報記憶媒体と、有底筒状に形成され、その底部分は前記ケース蓋の内面に固着され、前記底部分とは反対側の開口から前記情報記憶媒体が収納される情報記憶媒体収納ケース本体と、前記開口を閉じる情報記憶媒体収納ケース蓋と、前記情報記憶媒体収納ケース蓋で前記開口を閉じたときに、前記情報記憶媒体が前記内面に平行になる姿勢で前記情報記憶媒体を前記ケース蓋に向けて付勢するコイルバネと、を備えたことを特徴とする。
【００１０】
前記情報記憶媒体は円板状に形成されており、前記情報記憶媒体収納ケース蓋の底部分の内側の面には、前記情報記憶媒体を位置決めするための円環状の位置決め部が設けられていることが好ましい。
【００１１】
前記情報記憶媒体収納ケース本体の筒部分の外周面には周方向に連続した凸状の隆起が設けられるとともに、前記情報記憶媒体収納ケース蓋は有底筒状に形成され、その筒部分の内周面には周方向に連続した凹状の溝が形成されており、前記凸状の隆起と前記凹状の溝とを係合させることにより、前記情報記憶媒体収納ケース蓋が前記情報記憶媒体ケース本体に着脱可能であることを特徴とする。
【００１２】
本発明の遊技機は、上記の基板ケースを備えたことを特徴とする。
【発明の効果】
【００１３】
本発明の基板ケース及び遊技機によれば、情報記憶媒体を回路部品に接触しないように装着し、情報記憶媒体と所定装置との間でデータ通信を行えるようにしたので、遊技機を構成する部品に関連する情報の把握を正確に行うことができるようになる。
【発明を実施するための最良の形態】
【００１４】
図１に本発明を用いた遊技機の１実施例であるスロットマシン（回胴式遊技機）の外観を示す。スロットマシン１０は、筐体１１の前面扉１２に４個の表示窓１３が設けられており、各々の表示窓１３の奥に位置するように第１リール１４ａ、第２リール１４ｂ、第３リール１４ｃ及びサブリール１５が回転自在に組み込まれている。周知のように、第１〜第３リール１４ａ〜１４ｃの外周には複数種類の当選絵柄を含む所定絵柄が一定ピッチで配列され、リールが停止した状態では表示窓１３を通して１リールにつき３個の絵柄が観察可能になる。これにより、各リール毎に表示された絵柄を一個ずつ組み合わせてなる直線状の入賞有効ラインが例えば横３本斜め２本の合計５本が設定される。
【００１５】
前面扉１２は、上扉１２ａと下扉１２ｂとから構成されている。上扉１２ａ及び下扉１２ｂはそれぞれヒンジ１６により取り付けられ、それぞれ図中矢印Ｍの方向に回動させることができるようになっている。
【００１６】
下扉１２ｂの上部にはゲームの開始時に操作される１枚ベットボタン、ＭＡＸベットボタン、ペイアウトボタンなどの各種の操作ボタンの他に、メダルを投入するためのメダル投入口１７が設けられている。なお、これらの操作ボタンの機能はいずれも周知であるので、その詳細については省略する。また、これら操作ボタンの下部には、メダルベットが行われた後に操作される押下式スタートレバー１８や、押下式スタートレバー１８の押下操作により回転し始めるリールの動作を停止させるための第１〜第３ストップボタン１９ａ〜１９ｃが設けられている。さらに、下扉１２ｂの下部には、メダル受け皿２０が設けられており、このメダル受け皿２０には、ゲームで入賞状態となるときに得られる配当メダルが払い出し口２１から払い出される。
【００１７】
図２に示すように、上扉１２ａを開くと、筐体１１内部には、主制御部であるメイン基板２４が配設されている。このメイン基板２４は、メイン基板収納ケース２５に収納されている。リールユニット２６は、支持枠２７に取り付けられ、支持枠２７は筐体１１内部に着脱自在に装着されている。
【００１８】
筺体１１の背面側の内壁には、スロットマシン１０における遊技の基本となる動作を生成してリール回転の制御などを行うためのメイン基板２４を収容したメイン基板収納ケース２５が組み付けられている。
【００１９】
図３に示すように、メイン基板収納ケース２５は、大別してケース本体２５ａと蓋２５ｂとから構成される。蓋２５ｂはケース本体２５ａにヒンジ２９により取り付けられ、図４に示すように、回動させることができるようになっている。ケース本体２５ａには基板収納用凹部３０が形成されており、この基板収納用凹部３０には、ＣＰＵ（ＣｅｎｔｒａｌＰｒｏｃｅｓｓｉｎｇＵｎｉｔ）３１及びスロットマシン１０の遊技動作プログラムを記憶したＲＯＭ（ＲｅａｄＯｎｌｙＭｅｍｏｒｙ）３２などの各種回路部品が実装されたメイン基板２４が収納され固着される。図３に示すように、蓋２５ｂを閉じることによってメイン基板２４はケース本体２５ａ内に封入される。なお、ケース本体２５ａ及び蓋２５ｂはいずれも透光性を有するＡＢＳ樹脂（アクリロニトリル−ブタジエン−スチレン樹脂）などの合成樹脂で成形される。
【００２０】
図３に示すように、ケース本体２５ａにはＲＦＩＤタグ３５（情報記憶媒体）が設けられている。ＲＦＩＤタグ３５はＩＣチップ３６（集積回路）と、このＩＣチップ３６に銅線３７を介して接続された円盤状の送信及び受信アンテナ、或いは送信又は受信アンテナのいずれかからなる送受信アンテナ３８とを備えている。この送受信アンテナ３８は、ＲＦＩＤリーダ／ライタ３９（所定装置）（以下、「リーダ／ライタ」は「Ｒ／Ｗ」と記載）から受けた電波を電磁誘導によって電力として蓄積し、これをエネルギーとしてＩＣチップ３６を動作させる。
【００２１】
ＩＣチップ３６には、製造日、出荷日、出荷先、機種名、機種番号、再利用回数などのメイン基板２４、又はメイン基板２４を取り付ける部材に纏わる各種情報が記憶可能なメモリ（不図示）と、送受信アンテナ３８を介してＲＦＩＤ  Ｒ／Ｗ３９と通信を行なう通信回路（不図示）とが設けられている。ＲＦＩＤ  Ｒ／Ｗ３９には、ＲＦＩＤタグ３５あるいは図示しないホストコンピュータ（管理装置）との間で電波の送受信を行なうアンテナ３９ａが設けられている。
【００２２】
前記各種情報はホストコンピュータによって一括管理されている。ＲＦＩＤ  Ｒ／Ｗ３９は、ホストコンピュータから前記各種情報の更新情報などを適宜に読み出し、その読み出した情報をＩＣチップ３６のメモリに書き込んで記録するか、または、ＩＣチップ３６のメモリに記録されている情報を読み取るか、の少なくともいずれか一方を行う。従って、メイン基板２４の更新情報を適宜に確認することができる。また、読み取られた情報は一旦ＲＦＩＤ  Ｒ／Ｗ３９内のメモリ（不図示）に蓄積され、データ転送用ケーブル４０又は無線電信などを介してホストコンピュータへ転送され、点検管理される。
【００２３】
図３〜図５に示すように、ケース本体２５ａの上面にはＲＦＩＤ取り付け用凹部４１が形成されている。ＲＦＩＤタグ３５は、ＲＦＩＤ取り付け用凹部４１の内側に配置可能となるようにプラスチック製の略矩形である薄板状の取り付け板４２に工業用の接着剤や両面粘着テープなどで固着される。取り付け板４２の側面にはプラスチック製の細い棒状のリブ４２ａが複数形成されており、このリブ４２ａはＲＦＩＤ取り付け用凹部４１の内壁に溶接される。なお、リブ４２ａの大きさ、本数などは適宜に決めれば良い。また、リブ４２ａをＲＦＩＤ取り付け用凹部４１の内壁に溶接することにより、取り付け板４２をケース本体２５ａに取り付けたが、取り付け方法はこれに限定される必要はなく、ＲＦＩＤ取り付け用凹部４１、取り付け板４２、リブ４２ａをケース本体２５ａとの一体成形によって形成しても良い。
【００２４】
このようにしてＲＦＩＤ取り付け用凹部４１の内壁に取り付けられた取り付け板４２を取り外す場合、図５に示すように、取り付け板４２、あるいはリブ４２ａに対して外部から力を加えてリブ４２ａを破壊することで、取り付け板４２を容易に取り外すことができる。取り付け板４２を取り外すとＲＦＩＤタグ３５も一緒に取り外される。このようにして取り外されたＲＦＩＤタグ３５は、廃棄されるか、あるいは格納されている情報を書き換える等の処理が施された後に再び使用される。また、ＲＦＩＤタグ３５が取り除かれ分別されたケース本体２５ａは、廃棄されるか、あるいは粉々に砕かれた後、溶解され再利用される。
【００２５】
図３に示すように、キー４３（封印部材）は、蓋２５ｂをケース本体２５ａにロックするために設けられている。図３及び図６に示すように、キー４３は、円柱形状の軸４４に係合部４５、切断部４６、ストッパ４７、操作つまみ部４８が設けられたものであり、ＡＢＳ樹脂等の合成樹脂で成形されている。係合部４５には、テーパ状の第１係止突起４５ａと第２係止突起４５ｂと回転防止突起４５ｃとが設けられている。第１，第２係止突起４５ａ、４５ｂは、軸４４の上下それぞれに設けられており、回転防止突起４５ｃは、第１，第２係止突起４５ａ，４５ｂに対して軸方向を中心に９０°回転した位置に設けられている。切断部４６は、係合後のキー４３に外部から力が加えられたときに、切断される部位であり、軸４４に比べて細径に形成されている。操作つまみ部４８は、上記したキー４３に外部から力を加えるときのつまみである。
【００２６】
蓋２５ｂには第１キーロックケース４９が、ケース本体２５ａには第２キーロックケース５０が取り付けられ、それぞれビス（不図示）により裏面側から着脱不可となるようにビス締め固定されている。第１キーロックケース４９は、略円筒状の本体部５１と、蓋２５ｂへの取り付け用の取り付け鍔部５２とからなり、本体部５１にはキー４３挿入用の挿入開口５１ａが形成されている。本体部５１内部には、キー４３挿入時に、第２係止突起４５ｂと係合する一対の係止爪５１ｂと、回転防止突起４５ｃに係合し、その回転を防止する回転防止凹部５１ｃとがそれぞれ設けられている。係止爪５１ｂは、第１、第２係止突起４５ａ、４５ｂの当接による挿入方向への移動によって弾性変形するような形状で形成されている。取り付け鍔部５２には、蓋２５ｂに着脱不可となるように取り付けるためのビス締め用のビス締め孔５２ａが設けられている。
【００２７】
第２キーロックケース５０は、略円筒状の本体部５３と、ケース本体２５ａへの取り付け用の取り付け鍔部５４とからなり、本体部５３にはキー４３挿入用の挿入開口５３ａが形成されている。本体部５３内部には、キー４３挿入時に、第１係止突起４５ａと係合する一対の係止爪５３ｂが設けられている。係止爪５３ｂは、第１係止突起４５ａの当接による挿入方向への移動によって弾性変形するような形状で形成されている。取り付け鍔部５４には、ケース本体２５ａに着脱不可となるように取り付けるためのビス締め用のビス締め孔５４ａが設けられている。
【００２８】
このような構成にすることで、図６及び図７に示すように、係合部４５が第１キーロックケース４９の本体部５１内部に挿入されると、第２係止突起４５ｂが係止爪５１ｂと係合し、回転防止突起４５ｃが回転防止凹部５１ｃにより本体部５１内部にガイドされるとともにその回転が防止され、位置決めされる。また、キー４３の係合部４５の第１係止突起４５ａは第２キーロックケース５０の本体部５３内部へと挿入されると、第１係止突起４５ａが係止爪５３ｂと係合し、ストッパ４７によって挿脱不能な係止状態となる。これにより、蓋２５ｂは開閉できないようにケース本体２５ａにロックされ、メイン基板収納ケース２５と基板収納用凹部３０によって、メイン基板２４は閉じられた空間に配設されることとなる。
【００２９】
上記ロックを解除する場合、先ず、キー４３の操作つまみ部４８を掴んで回転させる。図８に示すように、操作つまみ部４８を回転させると切断部４６がねじれた後に切断され、操作つまみ部４８と係合部４５とが分離することにより係合部４５を挿脱することができるようになる。これにより、蓋２５ｂとケース本体２５ａとのロックが解かれ開閉可能となる。そして、図９に示すように、キー４３を切断させた後に、蓋２５ｂを取り外す。このとき、切断されたキー４３は、第２キーロックケース５０の本体部５３内部に残されている。蓋２５ｂを取り外すと、蓋２５ｂに取り付けられた第１キーロックケース４９も一緒に取り外され、回転防止凹部５１ｃによる回転防止が解かれ、キー４３が回転可能となる。そこで、図１０に示すように、キー４３を軸方向を中心に９０°回転させて、第１係止突起４５ａと係止爪５３ｂとの係合を解く。この回転させた状態のまま、キー４３を第２キーロックケース５０から抜き取る。
【００３０】
上記のように構成されたスロットマシン１０の作用について説明する。スロットマシン１０を組み立てるにあたって、図３に示すように、筺体１１又はリールユニット２６に取り付けられるメイン基板収納ケース２５のケース本体２５ａにＲＦＩＤ取り付け用凹部４１を形成する。周囲にリブ４２ａが形成された略矩形状の取り付け板４２にＲＦＩＤタグ３５を取り付けＲＦＩＤタグ３５がＲＦＩＤ取り付け用凹部４１の内側へ配置されるように、取り付け板４２のリブ４２ａをＲＦＩＤ取り付け用凹部４１の内壁に溶接する。このようにしてＲＦＩＤタグ３５をメイン基板収納ケース２５に装着した後、図４に示すように、メイン基板２４をケース本体２５ａの基板収納用凹部３０に取り付け、キー４３により、蓋２５ｂをケース本体２５ａにロックし、メイン基板２４をメイン基板収納ケース２５内に封入する。
【００３１】
また、メイン基板収納ケース２５のケース本体２５ａを別の用途に用いたり、あるいは別の形態に加工し直して利用する場合には、図５に示すように、取り付け板４２のリブ４２ａを外部から力を加えて破壊し、取り付け板４２ごとＲＦＩＤタグ３５をメイン基板収納ケース２５から切り離す。なお、リブ４２ａは細い棒状に形成されているため、ある一定の外力を加えただけで容易に破壊することができる。このようにしてＲＦＩＤタグ３５とメイン基板収納ケース２５とは別々になるので、それぞれを再利用することができる。
【００３２】
また、ＲＦＩＤタグ３５をメイン基板収納ケース２５のＲＦＩＤ取り付け用凹部４１の内側に取り付けることで、メイン基板２４で発生する磁場や静電気などによって引き起こされる電波障害を受けることなくＲＦＩＤタグ３５とＲＦＩＤ  Ｒ／Ｗ３９との間でデータ通信を行うことができる。さらに、ＲＦＩＤタグ３５を基板面に直接取り付けた場合に比べて、ＲＦＩＤタグ３５とＲＦＩＤ  Ｒ／Ｗ３９との交信距離が縮まるため、ＲＦＩＤ  Ｒ／Ｗ３９から発信される電波が弱いものであっても、ＲＦＩＤ  Ｒ／Ｗ３９とＲＦＩＤタグ３５とを確実に交信させることができる。また、交信時に発生する恐れがあるメイン基板２４上の電気的ノイズを防止することができ、さらに、電波によって誘発されるメイン基板２４上の電子回路の誤作動も防止することができる。
【００３３】
メイン基板２４をメイン基板収納ケース２５から取り出す場合には、キー４３の所定部分を破壊しなければ取り出すことができない構造になっており、そのためメイン基板収納ケース２５が開けられたか否かを容易に判断することができ、これにより、メイン基板２４への第３者の不正な細工行為を防止することができる。
【００３４】
上記実施形態では、ＲＦＩＤタグ３５をケース本体２５ａに切り取り可能にして取り付けたが、ＲＦＩＤタグ３５を蓋２５ｂを構成する壁面に直接的、又は所定の取り付け部材を介して取り付けても良い。また、取り付け板４２の裏面にＲＦＩＤタグ３５を取り付けても良い。これによりＲＦＩＤタグ３５は外部に露呈されないため、ＲＦＩＤタグ３５の破損や損傷などを防止することができる。
【００３５】
また、上記実施形態では、キー４３を用いてメイン基板収納ケース２５に封印を施すことによって、メイン基板２４への不正行為を防止するようにしたが、ＲＦＩＤタグ３５を蓋の裏側に取り付け、メイン基板２４とともにメイン基板収納ケース２５と基板収納用凹部３０とによって構成される閉じられた空間に配置することで、ＲＦＩＤタグ３５をメイン基板２４とともに、キー４３によって封印することができ、これにより、メイン基板２４とＲＦＩＤタグ３５とを同時に防犯することが可能となる。
【００３６】
上記実施形態では、封印部材としてキー４３を用いたが、これに限ることなく、封印部材としてシール部材などを用いてもよく、メイン基板収納ケース２５が開けられた際に、その痕跡が残るような封印部材であればどのような形態のものであっても良い。
【００３７】
なお、上記実施形態では、キー４３を用いて蓋２５ｂをケース本体２５ａにロックしたが、これに限ることなく、固定方向にしか回転させることのできないネジ頭形状からなるカシメ固定や溶接、あるいは接着剤による固定など公知である様々な固定方法を適宜に用いれば良い。
【００３８】
また、上記実施形態では、ＲＦＩＤタグ３５にメイン基板２４、又はメイン基板２４を取り付ける部材に纏わる各種情報が格納されているが、格納される情報はこれに限ることなく、スロットマシン１０を構成している各種部品に関連する情報を格納しても良い。
【００３９】
次に、本発明における別の実施形態について図１１〜図１３を参照しながら説明する。なお、上記実施形態と同一の構成及び作用を有する部材については同一の符号を付してその説明は省略する。図１１及び図１２に示すように、メイン基板収納ケース２５の蓋２５ｂの下面には略円筒形状のＲＦＩＤタグ収納ケース５５が設けられている。ＲＦＩＤタグ収納ケース５５は、有底筒状のケース本体５６と、ケース本体５６の開口５６ａを閉塞する蓋５７とから構成されており、これらの部材は共に可撓性を有するＡＢＳ樹脂などの合成樹脂によって成形されている。
【００４０】
ケース本体５６は円盤状の底壁５８と、この底壁５８の外周に沿って形成された側壁５９とから構成されており、底壁５８と側壁５９とによって凹部６０が形成されている。この凹部６０にＲＦＩＤタグ３５とコイルバネ６１が収容される。底壁５８はメイン基板収納ケース２５の蓋２５ｂの下面Ｕに固着されており、底壁５８から下方に向けて突出している円環状の位置決め部５８ａが形成されている。この位置決め部５８ａにＲＦＩＤタグ３５が配置される。また、側壁５９の外周には連続した凸状の隆起５９ａが形成されている。
【００４１】
ＲＦＩＤタグ収納ケース５５の蓋５７は有底筒状に成形されており、円盤状の底壁６２と、この底壁６２の外周に沿って形成された側壁６３とから構成される。蓋５７の開口５７ａの内径は、ケース本体５６の開口５６ａの外径よりも僅かに大きく形成されている。図１２に示すように、側壁６３の内周にはケース本体５６の隆起５９ａに係合する連続した凹状の溝６３ａが形成されている。
【００４２】
ＲＦＩＤタグ３５の下方となる一面Ｋにコイルバネ６１の一端が当接し、他端が蓋５７の底壁６２の内面に固着される。ＲＦＩＤタグ３５をケース本体５６の位置決め部５８ａに配置し、蓋５７をケース本体５６に嵌着すべく、ケース本体５６の隆起５９ａを溝６３ａに係合させる。これによりＲＦＩＤタグ収納ケース５５によって設けられる閉じられた空間内にＲＦＩＤタグ３５とコイルバネ６１とが封入される。ＲＦＩＤタグ３５はコイルバネ６１の一端が当接することによる付勢力を受け、ＲＦＩＤタグ収納ケース５５内でケース本体５６の底壁５８に常に圧接された状態となる。なお、ケース本体５６と蓋５７とからなるＲＦＩＤタグ収納ケース５５の大きさ又は配置は、メイン基板収納ケース２５の蓋２５ｂが閉じられた際に、ＲＦＩＤタグ収納ケース５５がメイン基板２４に実装されている回路部品に接触しないように、且つＲＦＩＤ  Ｒ／Ｗ３９との交信が行い易い適切な位置に配設されるように設計されている。
【００４３】
このような構成にすることで、第１の実施形態と同様に、ＲＦＩＤ  Ｒ／Ｗ３９とＲＦＩＤタグ３５とを確実に交信させることができ、また、交信時に誘発される恐れがあるメイン基板２４上の電気的ノイズや電子回路の誤作動を防止することができる。さらに、隆起５９ａ及び溝６３ａは、ケース本体５６及び蓋５７が可撓性であるため、互いに押圧することにより変形しつつ嵌るので、蓋５７を挿脱方向に力を加えることでケース本体５６に着脱させることができ、ＲＦＩＤタグ３５を傷つけずに容易に交換することができる。なお、ケース本体５６の側壁５９の外周の所定箇所に溝を、蓋５７の側壁６３の内周に前記溝に対応させた隆起を形成しても着脱に係る同様の作用及び効果を得ることができる。このように蓋５７をケース本体５６に着脱させる方法は適宜に決定すれば良い。
【００４４】
上記実施形態では、スロットマシンを取り上げて説明したが、パチンコ機等の遊技機に対しても実施することは可能である。図１４にパチンコ機の背面側の外観を示す。パチンコ機７０の本体基部７１には、遊技を行う際にパチンコ機７０に設けられた装置を作動させるための主制御を行うメイン基板となる主制御回路装置７２の他に、球発射装置７３、球払出装置７４等がそれぞれ組み付けられている。これら装置は、図示しないケーブル又はハーネス等を介して電気的に接続されている。主制御回路装置７２は収納ケース７５（基板ケース）に収納されている。この収納ケース７５には、上述したスロットマシン１０と同様にして、ＲＦＩＤタグ３５が取り付け板４２の裏側に切り取り可能に装着される。なお、ＲＦＩＤタグ３５を、別の実施形態で説明したように、収納ケース７５に着脱自在に装着しても良い。
【００４５】
また、図１５に示すように、収納ケース７５は、パチンコ機７０の本体基部７１に対して着脱可能とする遊技盤ユニット７６に取り付けられると好適である。なお、遊技盤ユニット７６は、交換可能な遊技球案内レール枠７７と遊技盤７８と収納ケース７５を支持しつつ遊技盤７８の背面に取り付けられる支持体７９とからなる。そして、前記収納ケース７５に装着させたＲＦＩＤタグ３５に記憶される情報として、前記本体基部７１に対して着脱可能とする遊技盤ユニット７６を構成する部品の他、収納ケース７５に収容された基板に実装された回路部品、前記支持体７９にて支持される液晶ユニット（不図示）、前記遊技盤ユニット７６を保持して前記本体基部７１に組み付けるための保持部材８０、この保持部材８０に軸支されるガラス８１付きの扉部材８２の少なくとも何れかに関連する部材名や前記部材の履歴（例えば、製造日、出荷日、出荷先、回収日、再利用回数）または耐久性、材料名などを記憶させるようにすると好適である。
【００４６】
なお、上述した遊技盤ユニット７６に限ることなく、本体基部７１に対して着脱可能な部品にＲＦＩＤタグ３５が装着された収納ケース７５を取り付けて、ＲＦＩＤタグ３５に主制御回路装置７２に係る情報と、前記着脱可能な部品に係る情報とを記憶させても良い。これにより主制御回路装置７２の情報と前記着脱可能な部品の情報とをホストコンピュータにて同時に管理することができ、さらに、収納ケース７５が取り付けられた前記着脱可能な部品を交換する際に、併せて情報記憶媒体の交換もできるようになる。なお、収納ケース７５におけるＲＦＩＤタグ３５が装着された箇所と、前記着脱可能な部品とを一体的に構成しても良く、その場合、例えば、収納ケース７５における少なくともＲＦＩＤタグ３５が装着される箇所と、前記着脱可能な部品とを一体成形し、前記着脱可能な部品を本体基部７１に組み込むことによって、収納ケース７５を完成させるような構造にすれば良い。収納ケース７５におけるＲＦＩＤタグ３５が装着された箇所と、前記着脱可能な部品とを一体に構成する方法は、これに限定される必要はなく、収納ケース７５又は前記着脱可能な部品のどちらか一方に、他方を構成する部品の一部を備え、収納ケース７５と前記着脱可能な部品とを本体基部７１に組み込んだ際に、収納ケース７５と前記着脱可能な部品とが完成した状態になれば良い。勿論、収納ケース７５全体を前記着脱可能な部品と一体に構成するようにしても良い。
【００４７】
このような構成にすることで、パチンコ機７０においても上述したスロットマシン１０と同様の効果を得ることができる。なお、本発明はスロットマシンやパチンコ機などの遊技機にのみ適用されるものではなく、メイン基板、あるいはメイン基板以外の電子回路基板を収納するための基板ケースが設けられている各種電子機器についても適用することができる。
【図面の簡単な説明】
【００４８】
【図１】本発明を実施したスロットマシンの外観を示す斜視図である。
【図２】上扉を開放した状態を示す斜視図である。
【図３】メイン基板収納ケースの外観を示す斜視図である。
【図４】メイン基板収納ケースの蓋が開いた状態を示す斜視図である。
【図５】メイン基板収納ケースからＲＦＩＤタグを取り外した状態を示す斜視図である。
【図６】キーをキーロックケースに差し込む場合のキー及びその近傍を示す断面図である。
【図７】キーをキーロックケースに差し込んだ時のキー及びその近傍を示す断面図である。
【図８】キーを切断した時のキー及びその近傍を示す断面図である。
【図９】蓋を開けた場合のキーの状態及びその近傍を示す断面図である。
【図１０】キーを９０°回転させ、抜き取ることができる状態にした場合のキー及びキーロックケースを示す断面図である。
【図１１】本発明における別の実施形態のＲＦＩＤタグ収納ケースの構成を示す斜視図である。
【図１２】ＲＦＩＤタグ収納ケースの構成を示す断面図である。
【図１３】ＲＦＩＤタグ収納ケースにＲＦＩＤタグ及びコイルバネを封入した場合のＲＦＩＤタグ収納ケースの態様を示す断面図である。
【図１４】本発明を適用したパチンコ機の背面側の外観を示す斜視図である。
【図１５】パチンコ機の分解斜視図である。
【符号の説明】
【００４９】
１０  スロットマシン
１１  筺体
２４  メイン基板
２５  メイン基板収納ケース
３５  ＲＦＩＤタグ
３６  ＩＣチップ
３８  送受信アンテナ
３９  ＲＦＩＤリーダ／ライタ
４２  取り付け板
４２ａ  リブ
４３  キー
５５  ＲＦＩＤタグ収納ケース
５９ａ  隆起
６３ａ  溝
【図１】
2008062105.tif 000003
【図２】
2008062105.tif 000004
【図３】
2008062105.tif 000005
【図４】
2008062105.tif 000006
【図５】
2008062105.tif 000007
【図６】
2008062105.tif 000008
【図７】
2008062105.tif 000009
【図８】
2008062105.tif 000010
【図９】
2008062105.tif 000011
【図１０】
2008062105.tif 000012
【図１１】
2008062105.tif 000013
【図１２】
2008062105.tif 000014
【図１３】
2008062105.tif 000015
【図１４】
2008062105.tif 000016
【図１５】
2008062105.tif 000017